(57)【要約】【課題】無線通信による遠隔操作において処理指示から処理実行までの時間差を短縮した撮像装置を提供すること。また、特定の処理に対応した専用の信号線を少なくして実装コストを低減した撮像装置を提供すること。【解決手段】、撮像部２０４と、携帯端末と無線通信によって接続する無線通信部２０９と、無線通信部２０９による受信に応じて割り込み信号を生成する割り込み信号生成部２１０とを備え、割り込み信号と少なくとも一つのハードスイッチ信号とを接続して制御部２００に入力する撮像装置であって、割り込み信号は、電源停止時において電源起動信号として機能し、電源起動時において撮像に関する操作信号として兼用される信号である。【選択図】図２
2017063307.tif 000002
【特許請求の範囲】
【請求項１】
撮像手段と、
操作に応じたハードスイッチ信号が入力され、該ハードスイッチ信号に従って前記撮像手段による撮像を制御する制御手段と、
無線通信手段と、
前記無線通信手段による受信した情報に応じて割り込み信号を生成する割り込み信号生成手段と、
前記割り込み信号を前記ハードスイッチ信号に接続し、前記割り込み信号を前記ハードスイッチ信号として前記制御手段に入力するための割り込み信号接続手段とを備え、
前記割り込み信号は、電源停止時において電源起動信号として機能する割り込み信号と共通の信号であることを特徴とする撮像装置。
【請求項２】
前記ハードスイッチ信号は複数種類であり、
前記無線通信手段によって受信した情報に基づいて、前記割り込み信号が接続される一の前記ハードスイッチ信号を選択し、選択された前記ハードスイッチ信号について入力があったか否かを判定する割り込み制御選択手段を更に備えることを特徴とする請求項１に記載の撮像装置。
【請求項３】
前記ハードスイッチ信号は複数種類であり、
前記無線通信手段によって受信した情報に基づいて、前記割り込み信号が接続される一の前記ハードスイッチ信号を選択する割り込み制御選択手段をさらに備えることを特徴とする請求項１に記載の撮像装置。
【請求項４】
前記ハードスイッチ信号を操作に応じて生成するための操作手段を更に有し、
前記無線通信手段によって受信した前記情報に基づいて、前記割り込み制御選択手段によって前記一のハードスイッチ信号を選択する場合、前記操作手段により生成される前記ハードスイッチ信号の入力を遮断するハードスイッチ信号遮断手段を更に有することを特徴とする請求項２または３に記載の撮像装置。
【請求項５】
前記複数種類のハードスイッチ信号にはレリーズスイッチ信号を含み、
前記割り込み制御選択手段は、前記無線通信手段によって受信した情報がリモートレリーズモードの設定を要求する情報である場合に、前記レリーズスイッチ信号を選択し、
前記制御手段は、前記レリーズスイッチ信号の入力に応じて、前記撮像手段により静止画を撮影することを特徴とする請求項２乃至４のいずれか一項に記載の撮像装置。
【請求項６】
前記複数種類のハードスイッチ信号にはムービースイッチ信号を含み、
前記割り込み制御選択手段は、前記無線通信手段によって受信した情報がリモートムービーモードの設定を要求する情報である場合に、前記ムービースイッチ信号を選択し、
前記制御手段は、前記ムービースイッチ信号の入力に応じて、前記撮像手段により動画の撮影を開始し、または停止することを特徴とする請求項２乃至４のいずれか一項に記載の撮像装置。
【請求項７】
前記割り込み信号生成手段は、前記無線通信手段によって受信した情報が割り込み生成を要求する情報である場合に、前記割り込み信号を生成することを特徴とする請求項１乃至６のいずれか一項に記載の撮像装置。
【請求項８】
撮像手段と、制御手段と、無線通信手段とを有する撮像装置において、
割り込み信号生成手段が、前記無線通信手段による受信した情報に応じて割り込み信号を生成し、
割り込み信号接続手段が、前記割り込み信号をハードスイッチ信号に接続し、前記割り込み信号を前記ハードスイッチ信号として前記制御手段に入力し、
前記制御手段が、操作に応じた前記ハードスイッチ信号が入力されると、該ハードスイッチ信号に従って前記撮像手段による撮像を制御する撮像装置の制御方法であって、
前記割り込み信号は、電源停止時において電源起動信号として機能する割り込み信号と共通の信号であることを特徴とする撮像装置の制御方法。
【請求項９】
請求項１乃至７のいずれか一項に記載の撮像装置の制御手段としてコンピュータを機能させるためのプログラム。
【発明の詳細な説明】
【技術分野】
【０００１】
本発明は撮像装置に関し、特に無線通信による遠隔操作が可能な撮像装置に関するものである。
【背景技術】
【０００２】
従来、カメラと携帯端末を無線通信または有線通信によって接続し、携帯端末を用いてカメラを遠隔操作して撮影を行う遠隔撮影システムがある。カメラから離れた地点であっても撮影操作が可能である点や、撮影者の手ぶれが発生してもカメラ側には影響を与えない点において、遠隔撮影システムは利便性が高い。遠隔撮影システムの構成としては、携帯端末がカメラに対して無線通信または有線通信によって処理命令を送信し、カメラが処理命令を解読して要求された処理を特定し、特定した処理を実行する構成がある。また、カメラが特定の処理に対応した専用の信号線を備え、携帯端末が無線通信または有線通信によってカメラが備える専用の信号線へ入力を行い、カメラが専用の信号線への入力を検出することで特定の処理を実行する構成がある。例えば、特許文献１では、リモートレリーズ装置接続用の既存の外部接続端子を、外部装置の通信接続用として兼用し、外部装置の通信接続用の専用外部接続端子を不要としたカメラが開示されている。外部装置が接続された場合、外部装置がカメラに対して処理命令を送信し、カメラが処理命令を解読して特定した処理を実行する。リモートレリーズ装置が接続された場合、リモートレリーズ装置がカメラに対してレリーズ信号線への入力を行い、カメラがレリーズ信号線への入力を検出してレリーズを実行する。
【先行技術文献】
【特許文献】
【０００３】
【特許文献１】特開２００１−１４２１２６号公報
【発明の概要】
【発明が解決しようとする課題】
【０００４】
しかしながら、特許文献１に開示された従来技術では、外部装置がカメラに対して処理命令を送信し、カメラが処理命令を解読して特定した処理を実行する場合、処理命令の通信や処理命令の解読に時間がかかる。したがって、外部装置を操作して処理指示を出してからカメラが処理を実行するまでに時間差が発生してしまう。例えば、撮影処理では撮影指示と撮影実行のタイミングは一致していることが理想的であり、発生する時間差は小さいことが好ましい。
【０００５】
一方、カメラが特定の処理に対応した専用の信号線を備える場合、処理命令の通信や処理命令の解読に時間がかからないため、上述した処理指示から処理実行までの時間差を短縮することが可能である。しかし、各処理に対して一つずつ専用の信号線を設けた場合、配線数が増加するため、フレキシブルプリント基板の面積増加やコネクタ端子数の増加など実装コストが増加してしまう。また、専用の信号線を検出するための検出回路も増加してしまう。
【０００６】
そこで、本発明の目的は、無線通信による遠隔操作において処理指示から処理実行までの時間差を短縮した撮像装置を提供することである。それに加えて、特定の処理に対応した専用の信号線を少なくして実装コストを低減した撮像装置を提供することである。
【課題を解決するための手段】
【０００７】
上記目的を達成するために、本発明における撮像装置は、
撮像手段と、
操作に応じたハードスイッチ信号が入力され、該ハードスイッチ信号に従って前記撮像手段による撮像を制御する制御手段と、
無線通信手段と、
前記無線通信手段による受信した情報に応じて割り込み信号を生成する割り込み信号生成手段と、
前記割り込み信号を前記ハードスイッチ信号に接続し、前記割り込み信号を前記ハードスイッチ信号として前記制御手段に入力するための割り込み信号接続手段とを備え、
前記割り込み信号は、電源停止時において電源起動信号として機能する割り込み信号と共通の信号である。
【発明の効果】
【０００８】
本発明によれば、無線通信による遠隔操作において処理指示から処理実行までの時間差を短縮した撮像装置を提供することができる。それに加えて、特定の処理に対応した専用の信号線を少なくして実装コストを低減した撮像装置を提供することができる。
【図面の簡単な説明】
【０００９】
【図１】本実施形態におけるデジタルカメラと携帯端末の外観図
【図２】本実施形態におけるデジタルカメラの構成を示すブロック図
【図３】本実施形態における携帯端末の構成を示すブロック図
【図４】本実施形態における携帯端末によるデジタルカメラの遠隔操作と携帯端末の操作画面を示す図
【図５】本実施例１におけるデジタルカメラの構成を示すブロック図
【図６】本実施形態におけるデジタルカメラと携帯端末のリモート電源起動のシーケンス
【図７】本実施例１におけるデジタルカメラと携帯端末のリモートレリーズのシーケンス
【図８】本実施例１におけるデジタルカメラと携帯端末のリモートムービーのシーケンス
【図９】本実施例２におけるデジタルカメラの構成を示すブロック図
【図１０】本実施例２におけるデジタルカメラと携帯端末のリモートレリーズのシーケンス
【図１１】本実施例２におけるデジタルカメラと携帯端末のリモートムービーのシーケンス
【発明を実施するための形態】
【００１０】
以下、図面を参照して本発明の好適な実施形態を説明する。図１に本実施形態における遠隔撮影システムの一例として、デジタルカメラ１００と携帯端末１５０の外観図を示す。遠隔撮影システムは無線通信によって接続されたデジタルカメラ１００と携帯端末１５０で構成される。デジタルカメラ１００の表示部１０１及び携帯端末１５０の表示部１５１は画像や各種情報を表示する。デジタルカメラ１００の操作部１０２は、電源オン・オフを行うための電源スイッチ１０３、静止画の撮影指示を行うためのレリーズスイッチ１０４、動画記録の開始と停止の指示を行うためのムービースイッチ１０５を備える。さらに、撮影設定など各種操作を行うための上下左右選択キーや決定スイッチなどの各種スイッチ１０６を備える。携帯端末１５０の操作部１５２は、電源オン・オフを行うための電源スイッチ１５３、表示部１５１の上層に取り付けられた各種操作を行うためのタッチパネル１５４を備える。
【００１１】
［デジタルカメラの構成］
図２は本実施形態におけるデジタルカメラ１００の構成を示すブロック図である。第一制御部２００は、たとえばＣＰＵを有しており、不揮発性メモリ２０２に格納されるプログラムに従い、メモリ２０１をワークメモリとして用いて、デジタルカメラ１００の各部を制御する。メモリ２０１は、例えばＲＡＭ（半導体素子を利用した揮発性メモリなど）からなる。不揮発性メモリ２０２は、電気的に消去・記録可能なメモリであり、例えばＥＥＰＲＯＭなどで構成される。不揮発性メモリ２０２には、画像データや音声データ、その他のデータ、第一制御部２００が動作するための各種プログラムなどが格納される。各種プログラムは、本実施形態にて後述する各種シーケンスを実行するためのプログラムを含む。
【００１２】
画像処理部２０３は、第一制御部２００の制御に基づいて、不揮発性メモリ２０２や記録媒体２０６に格納された画像データや、撮像部２０４から出力される画像データなどに対して各種画像処理を施す。画像処理部２０３が行う画像処理には、Ａ／Ｄ変換処理、Ｄ／Ａ変換処理、画像データの符号化処理、圧縮処理、デコード処理、拡大／縮小処理（リサイズ）、ノイズ低減処理、色変換処理などが含まれる。また、画像処理の種別によっては画像処理部２０３を用いずに第一制御部２００がプログラムに従って画像処理を施すことも可能である。
表示部１０１は、第一制御部２００の制御に基づいて、画像やＧＵＩ（Ｇｒａｐｈｉｃａｌ Ｕｓｅｒ Ｉｎｔｅｒｆａｃｅ）を構成するＧＵＩ画面などを表示する。第一制御部２００は、プログラムに従い表示制御信号を生成し、表示部１０１に表示するための映像信号を生成して表示部１０１に出力するようにデジタルカメラ１００の各部を制御する。表示部１０１は出力された映像信号に基づいて映像を表示する。
撮像部２０４は、ズームレンズ・フォーカスレンズを含むレンズ群、絞り機能を備えるシャッター、光学像を電気信号に変換するＣＣＤやＣＭＯＳ素子等で構成される撮像素子、Ａ／Ｄ変換器などで構成される（不図示）。撮像素子から出力されるアナログ信号はＡ／Ｄ変換器によってデジタル信号に変換され、デジタル信号に変換された画像データは画像処理部２０３を介してメモリ２０１に直接書き込まれる。
記録媒体Ｉ／Ｆ２０５は、メモリカードなどの記録媒体２０６が装着可能とされ、第一制御部２００の制御に基づき、装着された記録媒体２０６からのデータの読み出しや、当該記録媒体２０６に対するデータの書き込みを行う。
【００１３】
操作部１０２は、電源スイッチ１０３、レリーズスイッチ１０４、ムービースイッチ１０５、各種スイッチ１０６を備えたユーザ操作を受け付けるための入力デバイスである。第一制御部２００は、ユーザ操作によって生成される操作部１０２の出力信号（以下、ハードスイッチ信号と称する）を受け付ける。
電源制御部２０７は、電池検出回路、ＤＣ−ＤＣコンバータ、通電するブロックを切り替えるスイッチ回路等により構成され、電池の装着の有無、電池の種類、電池残量の検出を行う。また、電源制御部２０７は、その検出結果及び第一制御部２００の指示に基づいてＤＣ−ＤＣコンバータを制御し、必要な電圧を必要な期間、各部へ供給する。電源部２０８は、アルカリ電池やリチウム電池等の一次電池やＮｉＣｄ電池やＮｉＭＨ電池、Ｌｉ電池等の二次電池、ＡＣアダプター等からなる。
【００１４】
無線通信部２０９は、アンテナ、無線送信部、無線受信部で構成される（不図示）。無線通信部２０９と第一制御部２００のデータ送受信には、例えばシリアル通信が用いられる。無線通信部２０９の無線送信部は、第一制御部２００が送信する処理命令や処理応答などのデータを受信し、無線信号としてアンテナを介して携帯端末１５０に対して送信する。無線通信部２０９の無線受信部は、携帯端末１５０が送信した処理命令や処理応答などのデータを、無線信号としてアンテナを介して受信し、第一制御部２００に対して送信する。無線通信規格は、例えばＢｌｕｅｔｏｏｔｈ（登録商標） Ｌｏｗ Ｅｎｅｒｇｙ（ＢＬＥ）が用いられる。なおたとえば無線ＬＡＮやワイヤレスＵＳＢなど、ＢＬＥ以外の無線通信規格を用いてもよい。
割り込み信号生成部２１０は、無線通信部２０９が携帯端末１５０から受信した処理命令に基づいて割り込み信号を生成する。生成した割り込み信号は電源制御部２０７またはハードスイッチ信号へ入力される。割り込み信号による各種の処理については後述する。
【００１５】
なお、デジタルカメラ１００は、後述する実施例ごとに固有の構成を有している。図２はそれら実施例に係るデジタルカメラの基礎となる構成を示すものである。
【００１６】
［携帯端末の構成］
図３は本実施形態における携帯端末１５０の構成を示すブロック図である。携帯端末１５０は、制御部３００、メモリ３０１、不揮発性メモリ３０２、表示部１５１、電源制御部３０７、電源部３０８、無線通信部３０９を備える。各部について、図２のデジタルカメラ１００における第一制御部２００、メモリ２０１、不揮発性メモリ２０２、表示部１０１、電源制御部２０７、電源部２０８、無線通信部２０９と同様の機能であるため説明を省略する。無線通信部３０９の無線通信規格は、デジタルカメラ１００の無線通信部２０９と同じ規格である。
【００１７】
操作部１５２は、電源スイッチ１５３、タッチパネル１５４を備えたユーザ操作を受け付けるための入力デバイスである。タッチパネル１５４における入力座標と、表示部１５１上の表示座標を対応付けることで、あたかもユーザが表示部１５１上に表示された画面を直接的に操作可能であるかのようなＧＵＩを構成できる。制御部３００は、ユーザ操作によって発生する操作部１５２の出力信号を受け付ける。
【００１８】
［操作画面］
図４は本実施形態における携帯端末１５０によるデジタルカメラ１００の遠隔操作と携帯端末１５０の操作画面を示す図である。図４（ａ）に遠隔操作の一例として、携帯端末１５０の処理命令によってデジタルカメラ１００の電源起動を行う例（以下、リモート電源起動と称する）を示す。デジタルカメラ１００は、無線通信による処理命令を受信可能な電源停止モードを備える。この電源停止モードは、電源制御部２０７が無線通信部２０９と割り込み信号生成部２１０のみに電源供給し、その他各部への電源供給を停止した低消費電力の動作モードである。電源停止モードにおいて、無線通信部２０９と割り込み信号生成部２１０は第一制御部２００による制御無しに動作可能であり、携帯端末１５０から無線通信による処理命令を受信可能である。携帯端末１５０は電源停止モードのデジタルカメラ１００に対して電源起動要求を無線通信によって送信する。デジタルカメラ１００は電源起動要求を受信すると、割り込み信号生成部２１０により割り込み信号を生成して電源制御部２０７に入力し、デジタルカメラ１００全体へと電力を供給する電源を起動する。
【００１９】
図４（ｂ）に遠隔操作の一例として、携帯端末１５０の処理命令によってデジタルカメラ１００の静止画の撮影を行う例（以下、リモートレリーズと称する）を示す。また、携帯端末１５０の処理命令によってデジタルカメラ１００の動画記録を行う例（以下、リモートムービーと称する）を示す。携帯端末１５０は電源起動後の待機モードのデジタルカメラ１００に対してレリーズ実行要求を無線通信によって送信する。デジタルカメラ１００はレリーズ実行要求を受信すると、割り込み信号を生成してハードスイッチ信号（レリーズスイッチ信号）に入力し、レリーズを実行する（すなわちシャッターを切る）。これにより静止画を撮影して画像データを記録する。また、携帯端末１５０は電源起動後の待機モードのデジタルカメラ１００に対してムービー開始または停止要求を無線通信によって送信する。デジタルカメラ１００はムービー開始または停止要求を受信すると、割り込み信号を生成してハードスイッチ信号（ムービースイッチ信号）に入力し、ムービーの記録の開始または停止を実行する。
【００２０】
デジタルカメラ１００が携帯端末１５０から処理命令を受信し、無線通信部２０９と第一制御部２００が処理命令を通信する構成を考える。この構成では、第一制御部２００が処理命令を解読し、要求された処理がレリーズ実行またはムービー開始・停止であることを特定し、特定した処理を実行するまでに時間がかかる。したがって、携帯端末１５０を操作して処理指示を出してからデジタルカメラ１００が処理を実行するまでに時間差が発生してしまう。撮影処理では撮影指示と撮影実行のタイミングは一致していることが理想的であり、発生する時間差は小さいことが好ましい。そこで、本実施形態では、デジタルカメラ１００が携帯端末１５０から処理命令を受信した後、割り込み信号を生成し、割り込み信号をハードスイッチ信号と接続して、ハードスイッチ信号の入力が行われる構成とした。このようにすることで、携帯端末１５０による処理指示から処理実行までの時間差を短縮できる。
【００２１】
図４（ｃ）に携帯端末１５０によるデジタルカメラ１００の遠隔操作のための操作画面を示す。図４（ｃ）は、動作モードとしてリモートレリーズを選択した場合における表示部１５１のＧＵＩ画面の一例である。
４００および４０１は、動作モード選択ボタンである。リモートレリーズモードボタン４００を押下することでリモートレリーズモードに、リモートムービーモードボタン４０１を押下することでリモートムービーモードに切り替わる。
４０２は、現在選択されている動作モードの名称表示である。リモートムービーモードを選択した場合は、リモートムービー表示に切り替わる。
４０３は、無線通信によって接続中のデジタルカメラ１００の名称表示である。
４０４は、処理実行ボタンである。リモートレリーズモード選択時は静止画の撮影指示を行うためのレリーズスイッチ、リモートムービーモード選択時、動画記録の開始と停止の指示を行うためのムービースイッチに切り替わる。
４０５は、撮影設定ボタンである。撮影設定ボタンを押下すると設定メニュー（不図示）が表示され、設定メニューから選択することによって各種設定を行う。設定メニューは、例えば、ストロボ発光、静止画記録画素数、静止画アスペクト比、動画記録画素数、ＩＳＯ感度、露出補正、赤目補正、測光方式、色あい調整（ホワイトバランス）などである。
４０６は、遠隔操作モード終了ボタンである。携帯端末１５０によるデジタルカメラ１００の遠隔操作を終了して、携帯端末１５０の待機画面に戻る。
【００２２】
＜実施例１＞
以下、図５〜図１１を参照して、本発明の各実施例の動作を説明する。実施例１では、無線通信による処理命令の受信後に生成される割り込み信号を、電源停止時においては電源起動信号として、電源起動時においてはハードスイッチ信号として兼用する。さらに、割り込み信号によって制御するハードスイッチ信号を選択し、選択したハードスイッチ信号のみ入力があったか否かを判定し、選択しなかったハードスイッチ信号は入力があったか否かを判定しない構成の例を説明する。
【００２３】
図５は本実施例１におけるデジタルカメラ１００の構成を示すブロック図である。図２と共通する構成要素は図２と同じ符号で示しており、その説明は省略する。第一制御部２００は、第二制御部５０１、割り込み制御選択部５０２、入力判定部５０３で構成される。入力判定部５０３は、レリーズスイッチ信号とムービースイッチ信号という２つのハードスイッチ信号それぞれの入力有無を判定する。そしていずれかの入力があった場合には、入力があったことと入力された信号とを示す信号を出力し、その信号を第二制御部５０１に入力する。なお、それぞれのスイッチ信号について入力があったことを示す信号を別々の信号とするように構成してもよい。割り込み制御選択部５０２は、入力判定部５０３が判定するハードスイッチ信号の選択と、ハードスイッチ信号遮断部５０４の接続と遮断の切り替えを制御する。第二制御部５０１は、不揮発性メモリ２０２等に記憶されたプログラムを実行して、デジタルカメラ１００を制御する。特に図６乃至図８に示した第二制御部５０１による手順を実行する。
【００２４】
ハードスイッチ信号遮断部５０４は、操作部１０２から出力されるハードスイッチ信号と入力判定部５０３との接続を割り込み制御選択部５０２の制御に基づいて遮断するスイッチ回路である。ハードスイッチ信号遮断部５０４は、レリーズスイッチ信号遮断部５０５と、ムービースイッチ信号遮断部５０６とで構成される。レリーズスイッチ信号遮断部５０５は、レリーズスイッチ１０４から出力されるレリーズスイッチ信号と入力判定部５０３との接続を遮断するスイッチ回路である。ムービースイッチ信号遮断部５０６は、ムービースイッチ１０５から出力されるムービースイッチ信号と入力判定部５０３との接続を遮断するスイッチ回路である。
【００２５】
割り込み信号接続部５０７は、割り込み信号生成部２１０から出力される割り込み信号とハードスイッチ信号遮断部５０４を通過したハードスイッチ信号とを接続するスイッチ回路である。割り込み信号接続部５０７は、レリーズスイッチ信号接続部５０８と、ムービースイッチ信号接続部５０９とで構成される。レリーズスイッチ信号接続部５０８は割り込み信号とレリーズスイッチ信号遮断部５０５を通過したレリーズスイッチ信号とを接続するスイッチ回路である。ムービースイッチ信号接続部５０９は割り込み信号とムービースイッチ信号遮断部５０６を通過したムービースイッチ信号とを接続するスイッチ回路である。割り込み信号とハードスイッチ信号の正負論理が同一の場合、割り込み信号接続部５０７は、割り込み信号とハードスイッチ信号を直結する構成としてよい。また、割り込み信号とハードスイッチ信号の正負論理が異なる場合、割り込み信号接続部５０７は、割り込み信号の論理を反転させてハードスイッチ信号に接続するスイッチ回路として構成してもよい。
【００２６】
以下、図６、図７、図８を参照して、本実施例１におけるリモート電源起動、リモートレリーズ、リモートムービーのシーケンスをそれぞれ説明する。なお、図６、図７、図８における各処理は、図示した各部により実行される。デジタルカメラ１００においては、第二制御部５０１による動作は、不揮発性メモリ２０２に格納されたプログラムをメモリ２０１に展開して実行することにより実現される。また、携帯端末１５０においては、制御部３００による動作は、不揮発性メモリ３０２に格納されたプログラムをメモリ３０１に展開して実行することにより実現される。
【００２７】
［電源起動シーケンス］
図６は本実施形態における、携帯端末１５０の操作によりデジタルカメラ１００を起動するリモート電源起動のシーケンスである。図６のシーケンスの開始時において、デジタルカメラ１００は無線通信による処理命令を受信可能な電源停止モードにあり、携帯端末１５０は電源起動後の待機モードである。
【００２８】
Ｓ６０１では、無線通信部２０９はアドバタイズを送信し、無線通信部２０９が無線通信接続可能な状態である旨を通知する。無線通信部３０９が無線通信部２０９に対して無線接続要求を送信しない間は、無線通信部２０９はアドバタイズを所定の間隔で送信し続ける。
Ｓ６０２では、制御部３００はリモート電源起動の実行指示があったか否かを判定する。ユーザが携帯端末１５０を操作してリモート電源起動の実行指示を行った場合、制御部３００はリモート電源起動の実行指示を受け付けて実行指示があったと判定しＳ６０３へ進む。リモート電源起動の実行指示がない場合、制御部３００はリモート電源起動の実行指示があったと判定するまで待機する。
Ｓ６０３では、制御部３００は無線通信部３０９に対してデジタルカメラ１００の電源起動要求を送信する。
Ｓ６０４では、無線通信部３０９は無線通信接続可能な装置があるか否かを判定すべくアドバタイズをスキャンし、スキャン期間中のＳ６０５において無線通信部２０９が無線通信部３０９に対して送信したアドバタイズを受信する。そして、無線通信部３０９は無線通信部２０９が無線通信接続可能な状態であることを検出する。
Ｓ６０６では、無線通信部３０９は無線通信部２０９に対して無線通信接続要求を送信する。
【００２９】
Ｓ６０７では、無線通信部２０９は無線通信部３０９に対して無線通信接続応答を送信する。そして、無線通信部２０９と無線通信部３０９との無線通信接続が確立する。
Ｓ６０８では、無線通信部３０９は無線通信部２０９に対してデジタルカメラ１００の電源起動要求を送信する。
Ｓ６０９では、無線通信部２０９は割り込み信号生成部２１０に対して割り込み要求を送信する。
Ｓ６１０では、割り込み信号生成部２１０は電源起動のための割り込み信号を生成し、電源制御部２０７に対して割り込み信号を送信する。このとき、第一制御部２００には電源が供給されていないため、割り込み信号がレリーズ実行割り込み信号やムービー開始割り込み信号などとして扱われることはない。
Ｓ６１１では、電源制御部２０７は電源供給を停止していたデジタルカメラ１００の各部に対して電源供給を開始する。
Ｓ６１２では、電源制御部２０７は第二制御部５０１に対して起動時リセット信号を送信する。第二制御部５０１は起動時リセット信号を受信すると、デジタルカメラ１００の各部に対して起動時の初期化シーケンスを実行する。
Ｓ６１３では、第二制御部５０１は無線通信部２０９に対して電源起動が完了した旨を示す起動完了通知を送信する。
Ｓ６１４では、無線通信部２０９は無線通信部３０９に対して起動完了通知を送信する。
Ｓ６１５では、無線通信部３０９は制御部３００に対して起動完了通知を送信する。そして、制御部３００はＳ６０２で受け付けたリモート電源起動が正常に完了したことを検出する。以上、Ｓ６０１〜Ｓ６１５で説明した処理手順によってリモート電源起動のシーケンスは完了する。
【００３０】
［リモートレリーズ手順］
図７は本実施例１におけるデジタルカメラ１００と携帯端末１５０のリモートレリーズのシーケンスである。図７のシーケンスの開始時において、デジタルカメラ１００および携帯端末１５０は電源起動後の待機モードであり、無線通信接続は確立していない状態である。Ｓ７０２〜Ｓ７１６では、携帯端末１５０からの処理命令によってデジタルカメラ１００をリモートレリーズモードに設定するシーケンスを説明する。
【００３１】
Ｓ７０２では、制御部３００はリモートレリーズモードに設定する指示があったか否かを判定する。ユーザが携帯端末１５０を操作して、たとえば図４（ｃ）の画面からリモートレリーズモードの設定指示を行った場合、制御部３００はリモートレリーズモードの設定指示を受け付けて指示があったと判定し、Ｓ７０３へ進む。リモートレリーズモードの設定指示がない場合、制御部３００はリモートレリーズモードの設定指示があったと判定するまで待機する。
Ｓ７０３では、制御部３００は無線通信部３０９に対してデジタルカメラ１００をリモートレリーズモードへ設定するモード設定要求を送信する。
Ｓ７０４〜Ｓ７０７は、図６のＳ６０４〜Ｓ６０７とそれぞれ同様の処理なので説明を省略する。
Ｓ７０８では、無線通信部３０９は無線通信部２０９に対してデジタルカメラ１００をリモートレリーズモードへ設定するためのモード設定要求を送信する。
Ｓ７０９では、無線通信部２０９は第二制御部５０１に対してモード設定要求を送信する。
Ｓ７１０では、第二制御部５０１は割り込み制御選択部５０２に対してモード設定要求を送信する。
Ｓ７１１では、割り込み制御選択部５０２はモード設定要求に基づいて入力判定部５０３の設定を行う。このモード設定要求はリモートレリーズモードの設定の要求であるので、入力判定部５０３は、レリーズスイッチ信号の入力があったか否かを判定し、ムービースイッチ信号の入力があったか否かを判定しないように設定される。すなわち、入力判定部５０３はレリーズスイッチ信号のみ読み取り、ムービースイッチ信号は受け付けない設定となる。
【００３２】
Ｓ７１２では、割り込み制御選択部５０２はモード設定要求に基づいてハードスイッチ信号遮断部５０４の設定を行う。割り込み制御選択部５０２は、レリーズスイッチ信号遮断部５０５とムービースイッチ信号遮断部５０６とを遮断設定に切り替える。これにより操作部１０２から出力されるハードスイッチ信号と入力判定部５０３との接続が遮断されるため、操作部１０２による操作を受け付けなくなる。
Ｓ７１３では、割り込み制御選択部５０２は第二制御部５０１に対してモード設定要求に基づく割り込み制御選択が完了した旨を示す割り込み制御選択完了通知を送信する。
Ｓ７１４では、第二制御部５０１は無線通信部２０９に対してリモートレリーズモードのモード設定が完了した旨を示すモード設定完了通知を送信する。
Ｓ７１５では、無線通信部２０９は無線通信部３０９に対してモード設定完了通知を送信する。
Ｓ７１６では、無線通信部３０９は制御部３００に対してモード設定完了通知を送信する。そして、制御部３００はＳ７０２で受け付けたリモートレリーズモード設定が正常に完了したことを検出する。
【００３３】
Ｓ７２０〜Ｓ７２７では、携帯端末１５０からの処理命令によってデジタルカメラ１００の撮影設定が行われるシーケンスを説明する。
Ｓ７２０では、制御部３００は撮影設定の入力があったか否かを判定する。ユーザが携帯端末１５０を操作して撮影設定を入力したと判定した場合、制御部３００は撮影設定入力を受け付けてＳ７２１へ進む。撮影設定の入力は、図４（ｃ）の撮影設定ボタン４０５を押下して、設定メニューから選択することによって各種設定が行われる。撮影設定の入力がないと判定した場合、デフォルトの撮影設定のままで、後述するＳ７３０のリモートレリーズ実行指示受付、Ｓ７５０のリモートレリーズモード解除受付は実行可能である。
Ｓ７２１では、制御部３００は無線通信部３０９に対してデジタルカメラ１００の撮影設定を実行する撮影設定要求を送信する。
Ｓ７２２では、無線通信部３０９は無線通信部２０９に対して撮影設定要求を送信する。
Ｓ７２３では、無線通信部２０９は第二制御部５０１に対して撮影設定要求を送信する。
Ｓ７２４では、第二制御部５０１は無線通信部２０９からの撮影設定要求を解読し、デジタルカメラ１００の撮影設定を実行する。無線通信部２０９と第二制御部５０１とにおける撮影設定要求の通信処理、第二制御部５０１における撮影設定要求の解読に時間がかかるため、Ｓ７２０の撮影設定入力からＳ７２４の撮影設定が完了するまで時間差が発生する。しかし、ここで発生する時間差はユーザの操作感に影響を与えるものではない。
Ｓ７２５では、第二制御部５０１は無線通信部２０９に対して撮影設定が完了した旨を示す撮影設定完了通知を送信する。
Ｓ７２６では、無線通信部２０９は無線通信部３０９に対して撮影設定完了通知を送信する。
Ｓ７２７では、無線通信部３０９は制御部３００に対して撮影設定完了通知を送信する。そして、制御部３００はＳ７２０で受け付けた撮影設定が正常に完了したことを検出する。
【００３４】
Ｓ７３０〜Ｓ７３９では、リモートレリーズが実行されるシーケンスを説明する。
Ｓ７３０では、制御部３００はリモートレリーズ実行指示があったか否かを判定する。ユーザが携帯端末１５０を操作してリモートレリーズ実行指示を行ったと判定した場合、制御部３００はリモートレリーズ実行指示を受け付けてＳ７３１へ進む。リモートレリーズ実行指示は、図４の処理実行ボタン４０４を押下することで行われる。リモートレリーズ実行指示がない場合であっても、後述するＳ７５０のリモートレリーズモード解除受付は実行可能である。
Ｓ７３１では、制御部３００は無線通信部３０９に対してレリーズ実行要求を送信する。
Ｓ７３２では、無線通信部３０９は無線通信部２０９に対してレリーズ実行要求を送信する。
Ｓ７３３では、無線通信部２０９は割り込み信号生成部２１０に対して割り込み要求を送信する。
Ｓ７３４では、割り込み信号生成部２１０はレリーズ実行のための割り込み信号を生成し、レリーズスイッチ信号接続部５０８に対して割り込み信号を送信する。そして、レリーズスイッチ信号接続部５０８は割り込み信号をレリーズスイッチ信号に接続して、入力判定部５０３に対してレリーズスイッチ信号が入力される。なお本例のレリーズ実行割り込み信号は電源起動割り込み信号と共通の信号である。そこで電源のリセットを防止するために、たとえばデジタルカメラ１００全体への電源が起動されている場合には、電源制御部２０７は割り込み信号を無視するように構成してもよい。
Ｓ７３５では、入力判定部５０３は割り込み信号（＝レリーズスイッチ信号）の入力があったと判定する。そして、その判定結果に応じて入力判定部５０３は第二制御部５０１に対してレリーズ実行要求を送信する。なお、割り込み信号はムービースイッチ信号接続部５０９を経由して入力判定部５０３に対してムービースイッチ信号としても入力されるが、入力判定部５０３はＳ７１１の入力判定部設定に基づき割り込み信号（＝ムービースイッチ信号）の入力は受け付けない。そのため、Ｓ７３５で入力が判定された割り込み信号はレリーズスイッチ信号として処理される。
【００３５】
Ｓ７３６では、第二制御部５０１はレリーズを実行する。無線通信部２０９が第二制御部５０１に対して例えばシリアル通信でレリーズ実行要求を送信する構成とした場合、無線通信部２０９と第二制御部５０１とにおけるレリーズ実行要求の通信処理、第二制御部５０１におけるレリーズ実行要求の解読に時間がかかる。したがって、Ｓ７３０のリモートレリーズ実行指示からＳ７３６のレリーズ実行が完了するまで時間差が発生してしまう。撮影処理では撮影指示と撮影実行のタイミングは一致していることが理想的であり、発生する時間差は小さいことが好ましい。そこで、本実施例１では、割り込み信号を生成し、割り込み信号をレリーズスイッチ信号と接続する構成としたため、レリーズ実行要求の通信処理やレリーズ実行要求の解読に時間がかからず、上述の時間差を短縮できる。
Ｓ７３７では、第二制御部５０１は無線通信部２０９に対してレリーズ実行が完了した旨を示すレリーズ実行完了通知を送信する。
Ｓ７３８では、無線通信部２０９は無線通信部３０９に対してレリーズ実行完了通知を送信する。
Ｓ７３９では、無線通信部３０９は制御部３００に対してレリーズ実行完了通知を送信する。そして、制御部３００はＳ７３０で受け付けたリモートレリーズが正常に完了したことを検出する。
【００３６】
Ｓ７５０〜Ｓ７６２では、携帯端末１５０からの処理命令によってデジタルカメラ１００をリモートレリーズモードから解除するシーケンスを説明する。
Ｓ７５０では、制御部３００はリモートレリーズモードを解除する指示があったか否かを判定する。ユーザが携帯端末１５０を操作してリモートレリーズモードの解除指示を行ったと判定した場合、制御部３００はリモートレリーズモードの解除指示を受け付けてＳ７５１へ進む。リモートレリーズモードの解除指示は、図４の遠隔操作モード終了ボタン４０６を押下することで行われる。リモートレリーズモードの解除指示がない場合、制御部３００はリモートレリーズモードの解除指示があるまで待機する。
Ｓ７５１では、制御部３００は無線通信部３０９に対してデジタルカメラ１００に設定されたリモートレリーズモードを解除するモード解除要求を送信する。
Ｓ７５２では、無線通信部３０９は無線通信部２０９に対してモード解除要求を送信する。
Ｓ７５３では、無線通信部２０９は第二制御部５０１に対してモード解除要求を送信する。
Ｓ７５４では、第二制御部５０１は割り込み制御選択部５０２に対してモード解除要求を送信する。
Ｓ７５５では、割り込み制御選択部５０２はモード解除要求に基づいて入力判定部５０３の設定を行う。入力判定部５０３は、レリーズスイッチ信号とムービースイッチ信号とを受け付ける設定となる。
【００３７】
Ｓ７５６では、割り込み制御選択部５０２はモード解除要求に基づいてハードスイッチ信号遮断部５０４の設定を行う。割り込み制御選択部５０２は、レリーズスイッチ信号遮断部５０５とムービースイッチ信号遮断部５０６とを接続設定に切り替える。操作部１０２から出力されるハードスイッチ信号と入力判定部５０３が接続されるため、操作部１０２による操作が可能になる。
Ｓ７５７では、割り込み制御選択部５０２は第二制御部５０１に対して割り込み制御解除が完了した旨を示す割り込み制御解除完了通知を送信する。
Ｓ７５８では、第二制御部５０１は無線通信部２０９に対してリモートレリーズモードのモード解除が完了した旨を示すモード解除完了通知を送信する。
Ｓ７５９では、無線通信部２０９は無線通信部３０９に対してモード解除完了通知を送信する。
Ｓ７６０では、無線通信部３０９は無線通信部２０９に対して無線通信切断要求を送信する。
Ｓ７６１では、無線通信部２０９は無線通信部３０９に対して無線通信切断応答を送信する。そして、無線通信部２０９と無線通信部３０９の無線通信接続が切断される。
Ｓ７６２では、無線通信部３０９は制御部３００に対してモード解除完了通知を送信する。そして、制御部３００はＳ７５０で受け付けたリモートレリーズモード解除が正常に完了したことを検出する。
【００３８】
以上の手順により、携帯端末１５０からデジタルカメラ１００のレリーズ操作をリモートで、小さな遅延で実行できる。
【００３９】
［リモートムービー手順］
図８は本実施例１におけるデジタルカメラ１００と携帯端末１５０のリモートムービーのシーケンスである。図８のシーケンスの開始時において、デジタルカメラ１００および携帯端末１５０は電源起動後の待機モードであり、無線通信接続は確立していない状態である。
Ｓ８０２〜Ｓ８１６では、携帯端末１５０からの処理命令によってデジタルカメラ１００をリモートムービーモードに設定するシーケンスを説明する。なお、Ｓ８０３〜Ｓ８１０、Ｓ８１２〜Ｓ８１６は、図７のＳ７０３〜Ｓ７１０、Ｓ７１２〜Ｓ７１６とそれぞれ同様の処理なので説明を省略する（リモートレリーズモード設定をリモートムービーモード設定に置き換えた処理である）。したがって、異なる処理であるＳ８０２、Ｓ８１１についてのみ説明する。
【００４０】
Ｓ８０２では、制御部３００はリモートムービーモードに設定する指示があったか否かを判定する。ユーザが携帯端末１５０を操作してリモートムービーモードの設定指示を行ったと判定した場合、制御部３００はリモートレムービーモードの設定指示を受け付けてＳ８０３へ進む。リモートムービーモードの設定指示がない場合、制御部３００はリモートムービーモードの設定指示があるまで待機する。
Ｓ８１１では、割り込み制御選択部５０２はモード設定要求に基づいて入力判定部５０３の設定を行う。入力判定部５０３は、ムービースイッチ信号の入力があったか否かを判定し、レリーズスイッチ信号の入力があったか否かを判定しないように設定される。すなわち、入力判定部５０３はムービースイッチ信号のみ読み取り、レリーズスイッチ信号は受け付けない設定となる。
【００４１】
Ｓ８２０〜Ｓ８２７は、携帯端末１５０からの処理命令によってデジタルカメラ１００の撮影設定が行われるシーケンスである。なお、Ｓ８２０〜Ｓ８２７は、図７のＳ７２０〜Ｓ７２７とそれぞれ同様の処理なので説明を省略する。
【００４２】
Ｓ８３０〜Ｓ８３９では、リモートムービーが開始されるシーケンスを説明する。
Ｓ８３０では、制御部３００はリモートムービー開始指示があったか否かを判定する。ユーザが携帯端末１５０を操作してリモートムービー開始指示を行った場合、制御部３００はリモートムービー開始指示を受け付けてＳ８３１へ進む。リモートムービー開始指示は、図４の処理実行ボタン４０４を押下することで行われる。リモートムービー開始指示がない場合であっても、後述するＳ８５０のリモートムービーモード解除受付は実行可能である。
Ｓ８３１では、制御部３００は無線通信部３０９に対してムービー開始要求を送信する。
Ｓ８３２では、無線通信部３０９は無線通信部２０９に対してムービー開始要求を送信する。
Ｓ８３３では、無線通信部２０９は割り込み信号生成部２１０に対して割り込み要求を送信する。
Ｓ８３４では、割り込み信号生成部２１０はムービー開始のための割り込み信号を生成し、ムービースイッチ信号接続部５０９に対して割り込み信号を送信する。そして、ムービースイッチ信号接続部５０９は割り込み信号をムービースイッチ信号に接続して、入力判定部５０３に対してムービースイッチ信号が入力される。なお本例のムービー開始割り込み信号は電源起動割り込み信号と共通の信号であり、後述するムービー停止割り込み信号もまた同様である。そこで電源のリセットを防止するために、たとえばデジタルカメラ１００全体への電源が起動されている場合には、電源制御部２０７は割り込み信号を無視するように構成してもよい。
Ｓ８３５では、入力判定部５０３は割り込み信号（＝ムービースイッチ信号）の入力があったと判定する。そして、その判定結果に応じて入力判定部５０３は第二制御部５０１に対してムービー開始要求を送信する。なお、割り込み信号はレリーズスイッチ信号接続部５０８を経由して入力判定部５０３に対してレリーズスイッチ信号としても入力されるが、入力判定部５０３はＳ８１１の入力判定部設定に基づき割り込み信号（＝レリーズスイッチ信号）の入力は受け付けない。
Ｓ８３６では、第二制御部５０１はムービー開始する。すなわち動画撮影を開始する。
Ｓ８３７では、第二制御部５０１は無線通信部２０９に対してムービー開始が完了した旨を示すムービー開始完了通知を送信する。
Ｓ８３８では、無線通信部２０９は無線通信部３０９に対してムービー開始完了通知を送信する。
Ｓ８３９では、無線通信部３０９は制御部３００に対してムービー開始完了通知を送信する。そして、制御部３００はＳ８３０で受け付けたリモートムービー開始が正常に完了したことを検出する。
【００４３】
Ｓ８４０〜Ｓ８４９は、リモートムービーが停止されるシーケンスである。なお、Ｓ８４０〜Ｓ８４９は、Ｓ８３０〜Ｓ８３９とそれぞれ同様の処理なので説明を省略する（リモートムービー開始をリモートムービー停止に置き換えた処理である）。
【００４４】
Ｓ８５０〜Ｓ８６２は、携帯端末１５０からの処理命令によってデジタルカメラ１００をリモートムービーモードから解除するシーケンスである。なお、Ｓ８５０〜Ｓ８６２は、図７のＳ７５０〜Ｓ７６２とそれぞれ同様の処理なので説明を省略する（リモートレリーズモード解除をリモートムービーモード解除に置き換えた処理である）。
【００４５】
以上のように、実施例１によれば、デジタルカメラ１００が携帯端末１５０から処理命令を受信した後、割り込み信号を生成し、割り込み信号をハードスイッチ信号と接続して、ハードスイッチ信号の入力が行われる構成とした。このようにすることで、携帯端末１５０による処理指示から処理実行までの時間差を短縮できる。すなわち、図７に示すリモートレリーズモードでは、割り込み信号を生成し、割り込み信号をレリーズスイッチ信号と接続する構成としたため、リモートレリーズ実行指示からレリーズ実行が完了するまでの時間差を短縮できる。また、図８に示すリモートムービーモードでは、割り込み信号を生成し、割り込み信号をムービースイッチ信号と接続する構成としたため、リモートムービー開始・停止指示からムービー開始・停止の実行完了までの時間差を短縮できる。このため、ユーザが撮影したい瞬間を撮り逃す可能性を小さくできる。
【００４６】
また、デジタルカメラ１００が各処理に対して一つずつ専用の割り込み信号線を備える構成では、配線数が増加するため、フレキシブルプリント基板の面積増加やコネクタ端子数の増加など実装コストが増加してしまう。そこで、実施例１によれば、リモート電源起動に用いる割り込み信号とリモートレリーズおよびリモートムービーに用いる割り込み信号を兼用する構成とした。このようにすることで、割り込み信号線を少なくして実装コストを低減することが可能である。
【００４７】
また、デジタルカメラ１００が各処理に対して一つずつ専用の割り込み信号線を備える構成では、割り込み信号線を検出するための検出回路も増加してしまう。そこで、実施例１によれば、割り込み信号をデジタルカメラ１００が元々備えていたハードスイッチ信号と接続する構成とした。このようにすることで、制御部２００に対して割り込み信号を検出するための検出回路を追加する必要がなく、既存のハードスイッチ信号検出回路で検出することが可能である。
【００４８】
また、図７のＳ７１２および図８のＳ８１２においてハードスイッチ信号遮断部５０４を遮断設定に切り替え、リモートレリーズモードおよびリモートムービーモードでは操作部１０２による操作は受け付けない構成とした。このようにすることで、携帯端末１５０による遠隔操作のみを有効とし、デジタルカメラ１００が誤って操作されて誤動作してしまうことを防ぐことができる。
【００４９】
なお、リモートレリーズモードおよびリモートムービーモードにおいて、デジタルカメラ１００の操作を有効にする場合、ハードスイッチ信号遮断部５０４を設けない構成としても良い。これにより、実施例１よりも回路規模が小さい簡易的な構成で本発明を実施可能である。
【００５０】
なお、実施例１では、割り込み信号とレリーズスイッチ信号またはムービースイッチ信号を接続する構成としたが、処理指示から処理実行までの時間差を短縮するべき操作信号であれば、その他各種のハードスイッチ信号を割り込み信号と接続する構成としてもよい。このようにすることで、リモートレリーズやリモートムービー以外の各種の遠隔操作において処理指示から処理実行までの時間差を短縮できる。
【００５１】
なお、図６のＳ６０６〜Ｓ６０９では、無線通信接続の確立、電源起動要求、割り込み要求の順に処理が進む構成としたが、Ｓ６０６の無線通信接続要求の後に割り込み要求が行われる構成としてもよい。このようにすることで、リモート電源起動にかかる時間を短縮できる。
【００５２】
＜実施例２＞
実施例２では、無線通信による処理命令の受信後に生成される割り込み信号を、電源停止時においては電源起動信号として、電源起動時においてはハードスイッチ信号として兼用する。さらに、割り込み信号によって制御するハードスイッチ信号を選択し、選択したハードスイッチ信号のみ割り込み信号と接続し、選択しなかったハードスイッチ信号は割り込み信号と遮断する構成の例を説明する。なお本例においてはリモートレリーズとリモートムービーの手順について説明するが、図６と同じ手順となるリモート電源起動については説明を省略する。
【００５３】
図９は本実施例２におけるデジタルカメラ１００の構成を示すブロック図である。
第一制御部２００は、第三制御部９０１、割り込み制御選択部９０２で構成される。割り込み制御選択部９０２は、ハードスイッチ信号遮断部５０４の接続・遮断切り替えを制御する。割り込み制御選択部９０２はまた、割り込み信号接続部９０７の接続・遮断切り替えを制御することが可能である。図９では割り込み制御選択部９０２の出力信号はただ一つであるがこれは図示の便宜であり、ハードスイッチ信号遮断部５０４と、割り込み信号接続部９０７とを別々に制御可能である。
【００５４】
割り込み信号接続部９０７は、割り込み信号生成部２１０から出力される割り込み信号とハードスイッチ信号遮断部５０４を通過したハードスイッチ信号とを、割り込み制御選択部９０２による制御信号に応じて接続するスイッチ回路である。割り込み信号接続部９０７は、レリーズスイッチ信号接続部９０８と、ムービースイッチ信号接続部９０９とで構成される。レリーズスイッチ信号接続部９０８は、割り込み信号とレリーズスイッチ信号遮断部５０５を通過したレリーズスイッチ信号とを、割り込み制御選択部９０２による制御信号に応じて接続するスイッチ回路である。ムービースイッチ信号接続部９０９は、割り込み信号とムービースイッチ信号遮断部５０６を通過したムービースイッチ信号とを割り込み制御選択部９０２による制御信号に応じて接続するスイッチ回路である。
【００５５】
なお第三制御部９０１は、レリーズスイッチ信号とムービースイッチ信号とが互いに独立した信号として入力される点において、それら信号が多重化されて入力される実施例１の第二制御部５０１と相違している。しかしながら、この相違は本質的なものではなく、これらスイッチ信号を多重化したり、あるいは個別に入力したりすることで、第二制御部と第三制御部とを共通化することができる。ただし、その構成上の相違により、シーケンス図により説明するとおり、実行される手順は相違する。
【００５６】
以下、図１０、図１１を参照して、本実施例２におけるリモートレリーズ、リモートムービーのシーケンスをそれぞれ説明する。リモート電源起動のシーケンスは、図６のシーケンスと同様の処理なので説明を省略する。なお、図１０、図１１における各処理は、デジタルカメラ１００においては、第三制御部９０１が不揮発性メモリ２０２に格納されたプログラムをメモリ２０１に展開して実行することにより実現される。また、携帯端末１５０においては、制御部３００が不揮発性メモリ３０２に格納されたプログラムをメモリ３０１に展開して実行することにより実現される。
【００５７】
［リモートレリーズ手順］
図１０は本実施例２におけるデジタルカメラ１００と携帯端末１５０のリモートレリーズのシーケンスである。図１０のシーケンスの開始時において、デジタルカメラ１００および携帯端末１５０は電源起動後の待機モードであり、無線通信接続は確立していない状態である。
【００５８】
Ｓ１００２〜Ｓ１０１６では、携帯端末１５０からの処理命令によってデジタルカメラ１００をリモートレリーズモードに設定するシーケンスを説明する。なお、Ｓ１００２〜Ｓ１０１０、Ｓ１０１２〜Ｓ１０１６は、図７のＳ７０２〜Ｓ７１０、Ｓ７１２〜Ｓ７１６とそれぞれ同様の処理である。すなわち、第二制御部５０１を第三制御部９０１に、割り込み制御選択部５０２を割り込み制御選択部９０２にそれぞれ置き換えた処理であるため説明を省略する。したがって、異なる処理であるＳ１０１１についてのみ説明する。
Ｓ１０１１では、割り込み制御選択部９０２はモード設定要求に基づいて割り込み信号接続部９０７の設定を行う。このモード設定要求はリモートレリーズモードの設定の要求であるので、割り込み制御選択部９０２は、レリーズスイッチ接続部９０８を接続設定に切り替える。また、割り込み制御選択部９０２は、ムービースイッチ接続部９０９を遮断設定に切り替える。すなわち、割り込み信号はレリーズスイッチ信号に接続され、ムービースイッチ信号とは遮断された状態になる。
【００５９】
Ｓ１０２０〜Ｓ１０２７は、携帯端末１５０からの処理命令によってデジタルカメラ１００の撮影設定が行われるシーケンスである。なお、Ｓ１０２０〜Ｓ１０２７は、図７のＳ７２０〜Ｓ７２７とそれぞれ同様の処理なので説明を省略する。
【００６０】
Ｓ１０３０〜Ｓ１０３９では、リモートレリーズが実行されるシーケンスを説明する。なお、Ｓ１０３０〜Ｓ１０３３、Ｓ１０３６〜Ｓ１０３９は、図７のＳ７３０〜Ｓ７３３、Ｓ７３６〜Ｓ７３９とそれぞれ同様の処理である。すなわち、第二制御部５０１を第三制御部９０１に置き換えた処理であるため説明を省略する。したがって、異なる処理であるＳ１０３４、Ｓ１０３５についてのみ説明する。
Ｓ１０３４では、割り込み信号生成部２１０はレリーズ実行のための割り込み信号を生成し、割り込み信号接続部９０７に対して割り込み信号を送信する。なお本例のレリーズ実行割り込み信号は電源起動割り込み信号と共通の信号である。そこで電源のリセットを防止するために、たとえばデジタルカメラ１００全体への電源が起動されている場合には、電源制御部２０７は割り込み信号を無視するように構成してもよい。
Ｓ１０３５では、割り込み信号接続部９０７は第三制御部９０１に対して割り込み信号を送信する。Ｓ１０１１の割り込み信号接続部設定に基づき、割り込み信号はレリーズスイッチ信号に接続され、ムービースイッチ信号とは遮断された状態にある。したがって、レリーズスイッチ信号接続部９０８が第三制御部９０１に対して割り込み信号（＝レリーズスイッチ信号）を出力する。
【００６１】
Ｓ１０５０〜Ｓ１０６２では、携帯端末１５０からの処理命令によってデジタルカメラ１００をリモートレリーズモードから解除するシーケンスを説明する。なお、Ｓ１０５０〜Ｓ１０５４、Ｓ１０５６〜Ｓ１０６２は、図７のＳ７５０〜Ｓ７５４、Ｓ７５６〜Ｓ７６２とそれぞれ同様の処理である。すなわち、第二制御部５０１を第三制御部９０１に、割り込み制御選択部５０２を割り込み制御選択部９０２にそれぞれ置き換えた処理であるため説明を省略する。したがって、異なる処理であるＳ１０５５についてのみ説明する。
Ｓ１０５５では、割り込み制御選択部９０２はモード解除要求に基づいて割り込み信号接続部９０７の設定を行う。割り込み制御選択部９０２は、レリーズスイッチ接続部９０８およびムービースイッチ接続部９０９を遮断設定に切り替える。すなわち、割り込み信号はレリーズスイッチ信号およびムービースイッチ信号とは遮断された状態になる。
【００６２】
［リモートムービー手順］
図１１は本実施例２におけるデジタルカメラ１００と携帯端末１５０のリモートムービーのシーケンスである。図１１のシーケンスの開始時において、デジタルカメラ１００および携帯端末１５０は電源起動後の待機モードであり、無線通信接続は確立していない状態である。
Ｓ１１０２〜Ｓ１１１６では、携帯端末１５０からの処理命令によってデジタルカメラ１００をリモートムービーモードに設定するシーケンスを説明する。なお、Ｓ１１０２〜Ｓ１１１０、Ｓ１１１２〜Ｓ１１１６は、図８のＳ８０２〜Ｓ８１０、Ｓ８１２〜Ｓ８１６とそれぞれ同様の処理である。すなわち、第二制御部５０１を第三制御部９０１に、割り込み制御選択部５０２を割り込み制御選択部９０２にそれぞれ置き換えた処理であるため説明を省略する。したがって、異なる処理であるＳ１１１１についてのみ説明する。
Ｓ１１１１では、割り込み制御選択部９０２はモード設定要求に基づいて割り込み信号接続部９０７の設定を行う。割り込み制御選択部９０２は、ムービースイッチ接続部９０９を接続設定に切り替える。また、割り込み制御選択部９０２は、レリーズスイッチ接続部９０８を遮断設定に切り替える。すなわち、割り込み信号はムービースイッチ信号に接続され、レリーズスイッチ信号とは遮断された状態になる。
【００６３】
Ｓ１１２０〜Ｓ１１２７は、携帯端末１５０からの処理命令によってデジタルカメラ１００の撮影設定が行われるシーケンスである。なお、Ｓ１１２０〜Ｓ１１２７は、図８のＳ８２０〜Ｓ８２７とそれぞれ同様の処理なので説明を省略する。
【００６４】
Ｓ１１３０〜Ｓ１１３９では、リモートムービーが開始されるシーケンスを説明する。なお、Ｓ１１３０〜Ｓ１１３３、Ｓ１１３６〜Ｓ１１３９は、図８のＳ８３０〜Ｓ８３３、Ｓ８３６〜Ｓ８３９とそれぞれ同様の処理である。すなわち、第二制御部５０１を第三制御部９０１に置き換えた処理であるため説明を省略する。したがって、異なる処理であるＳ１１３４、Ｓ１１３５についてのみ説明する。
Ｓ１１３４では、割り込み信号生成部２１０はムービー開始のための割り込み信号を生成し、割り込み信号接続部９０７に対して割り込み信号を送信する。なお本例のムービー開始割り込み信号は電源起動割り込み信号と共通の信号であり、後述するムービー停止割り込み信号もまた同様である。そこで電源のリセットを防止するために、たとえばデジタルカメラ１００全体への電源が起動されている場合には、電源制御部２０７は割り込み信号を無視するように構成してもよい。
Ｓ１１３５では、割り込み信号接続部９０７は第三制御部９０１に対して割り込み信号を送信する。Ｓ１１１１の割り込み信号接続部設定に基づき、割り込み信号はムービースイッチ信号に接続され、レリーズスイッチ信号とは遮断された状態にある。したがって、ムービースイッチ信号接続部９０９が第三制御部９０１に対して割り込み信号（＝ムービースイッチ信号）を出力する。
【００６５】
Ｓ１１４０〜Ｓ１１４９は、リモートムービーが停止されるシーケンスである。なお、Ｓ１１４０〜Ｓ１１４９は、Ｓ１１３０〜Ｓ１１３９とそれぞれ同様の処理なので説明を省略する（リモートムービー開始をリモートムービー停止に置き換えた処理である）。
【００６６】
Ｓ１１５０〜Ｓ１１６２は、携帯端末１５０からの処理命令によってデジタルカメラ１００をリモートムービーモードから解除するシーケンスである。なお、Ｓ１１５０〜Ｓ１１６２は、図１０のＳ１０５０〜Ｓ１０６２とそれぞれ同様の処理なので説明を省略する（リモートレリーズモード解除をリモートムービーモード解除に置き換えた処理である）。
なお、ムービー開始要求とムービー停止要求は、撮影の開始と停止とが交互に入れ替わるトグルとしておくことで、一つの割り込み信号により実現できる。
【００６７】
以上のように、実施例２によれば、実施例１と同様な効果が得られるとともに、さらに以下の効果が得られる。実施例２では、割り込み制御選択部９０２が割り込み信号接続部９０７の接続・遮断切り替えを制御する構成とした。したがって、リモートレリーズモードにおいてはレリーズスイッチ信号のみが、リモートムービーモードにおいてはムービースイッチ信号のみが割り込み信号として第三制御部９０１に対して入力される。このようにすることで、実施例１のように、モードに応じて第三制御部９０１のハードスイッチ信号の検出制御を変更する必要がない。また、リモートレリーズモードやリモートムービーモードが解除された状態において、レリーズスイッチ接続部９０８およびムービースイッチ接続部９０９を遮断設定に切り替える構成とした。このようにすることで、例えば無線通信部２０９がエラー状態に陥り、割り込み信号生成部２１０が誤って割り込み信号を生成してしまうようなエラーケースにおいて、ハードスイッチ信号への入力が遮断されるため、誤動作を防ぐことが可能である。
【００６８】
＜実施例３＞
実施例３では、リモート電源起動、リモートレリーズモード、リモートムービーモードにおいて無線通信によって送信する処理命令を同一の処理命令とする構成を説明する。すなわち、実施例１において、図６のＳ６０８の電源起動要求、図７のＳ７３２のレリーズ実行要求、図８のＳ８３２のムービー開始要求、図８のＳ８４２のムービー停止要求を全て同一の割り込み要求とする構成である。同様に、実施例２において、図１０のＳ１０３２のレリーズ実行要求、図１１のＳ１１３２のムービー開始要求、図１１のＳ１１４２のムービー停止要求を全て同一の割り込み要求とする。リモート電源起動の場合、デジタルカメラ１００が電源停止モードであれば割り込み信号の入力先は電源制御部２０７に限られる。したがって、必ずしも無線通信部２０９に電源起動要求であることを検出させる必要はない。また、リモートレリーズモードやリモートムービーモードの場合、モード設定が完了した後は割り込み信号の入力先は確定されるため、必ずしも無線通信部２０９にレリーズ実行要求やムービー開始・停止要求であることを検出させる必要はない。無線通信部２０９に対して、割り込み信号の生成が必要であることを示す情報であればよい。
【００６９】
以上のように、実施例３によれば、実施例１および実施例２と同様な効果が得られるとともに、さらに以下の効果が得られる。リモート電源起動、リモートレリーズモード、リモートムービーモードにおいて無線通信によって送信する処理命令を同一の処理命令（割り込み要求）とする構成にした。このようにすることで、無線通信部２０９が処理命令を解読する時間を短縮できるため、無線通信による遠隔操作において処理指示から処理実行までの時間差を短縮できる。また、処理命令を解読するための無線通信部２０９の解読処理部を簡素化することが可能である。
【００７０】
また、上述した各実施形態においては、本発明をデジタルカメラに適用した場合を例にして説明したが、本発明はこの例に限定されない。すなわち、デジタル一眼レフカメラ、デジタルビデオカメラ、その他の各種撮像装置において適用可能である。
【００７１】
また、上述した各実施形態においては、本発明を携帯端末に適用した場合を例にして説明したが、本発明はこの例に限定されない。すなわち、タブレット型、ノート型、デスクトップ型など各種パーソナルコンピュータ、携帯電話端末、画像ビューワ、音楽プレーヤー、ゲーム機など、撮像装置と無線通信によって接続して遠隔操作することが可能な各種装置において適用可能である。
【００７２】
また、上述した各実施形態においては、本発明をＢｌｕｅｔｏｏｔｈ（登録商標） Ｌｏｗ Ｅｎｅｒｇｙに適用した場合を例にして説明したが、本発明はこの例に限定されない。すなわち、上述したシーケンスにおける通信制御を実現可能な無線通信規格であれば、その他各種の無線通信規格において適用可能である。
【００７３】
また、上述した各実施形態においては、本発明を電源起動信号に適用した場合を例にして説明したが、本発明はこの例に限定されない。すなわち、電源起動信号に代わって他の操作信号を割り込み信号として兼用する構成にしても適用可能である。
【００７４】
また、上記実施例は、ハードスイッチ信号としてレリーズスイッチ信号とムービースイッチ信号という複数種類の信号について、リモート操作時には割り込み信号により置き換える構成を開示しているが、いずれか一つの信号を対象としても良い。
【００７５】
また、本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００７６】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【符号の説明】
【００７７】
１００  デジタルカメラ、１５０  携帯端末、２００  第一制御部、２０７  電源制御部、２０９  無線通信部、２１０  割り込み信号生成部、５０２  割り込み制御信号選択部、５０３  入力判定部、５０４  ハードスイッチ信号遮断部、５０７  割り込み信号接続部
【図１】
2017063307.tif 000003
【図２】
2017063307.tif 000004
【図３】
2017063307.tif 000005
【図４】
2017063307.tif 000006
【図５】
2017063307.tif 000007
【図６】
2017063307.tif 000008
【図７】
2017063307.tif 000009
【図８】
2017063307.tif 000010
【図９】
2017063307.tif 000011
【図１０】
2017063307.tif 000012
【図１１】
2017063307.tif 000013